【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
液体フィルタ・アセンブリのハウジング内部で効果的に使用される液体フィルタ・カートリッジであって、
（ａ）対向する、第１および第２エンド・キャップであって、
（ｉ）前記第１エンド・キャップが、前記第１エンド・キャップを通る第１の中央開口を有し、
（ｉｉ）前記第２エンド・キャップが、前記第２エンド・キャップを通る第２の中央開口を有する、前記第１および第２エンド・キャップと、
（ｂ）前記第１および第２エンド・キャップに固定されかつ前記第１および第２エンド・キャップの間に延びているフィルタ媒体の伸長部分であって、
（Ａ）前記フィルタ媒体がプリーツ付き媒体を含み、前記第１の中央開口および前記第２の中央開口と流体流れが連絡している中央開口部体積を定める、前記フィルタ媒体の伸長部分と、
（ｃ）前記第１エンド・キャップから軸方向の外側に突き出ている第１シール支持体と前記第２エンド・キャップから軸方向の外側に突き出ている第２シール支持体と、
（ｄ）前記第１シール支持体を取り囲むシールを有し、かつ外側に向けられた半径方向シールを形成するように配向された第１シール構造であって、
（ｉ）前記第１シール構造は、前記第１中央開口の直径よりも大きいシール直径（ＤsＡ）を提供するように配置され、
（Ａ）前記ＤsＡは、０．８５ＤbＡ以上でかつ１．１５ＤbＡ以下の範囲内であり、前記ＤbＡは、使用中に前記第１エンド・キャップ上において、前記第２エンド・キャップに向かう方向のあるいは前記第２エンド・キャップから離れる方向の、正味の軸方向への表面力が生じない直径である、前記第１シール構造と、
（ｅ）前記第２シール支持体上に置かれたシールを有しかつ半径方向シールを形成するように配向された第２シール構造であって、
（ｉ）前記第２シール構造は、前記第２中央開口の直径よりも大きいシール直径（ＤsＢ）を提供するように配置され、
（Ａ）前記ＤsＢは、０．８５ＤbＢ以上でかつ１．１５ＤbＢ以下の範囲内であり、前記ＤbＢは、前記第２エンド・キャップ上において、前記第１エンド・キャップに向かう方向のあるいは前記第１エンド・キャップから離れる方向の、正味の軸方向への表面力が生じない直径である、前記第２シール構造と、
を含むことを特徴とする液体フィルタ・カートリッジ。
【請求項２】
（ａ）前記第１シール構成はＯ−リングシールであり、
（ｂ）前記第２シール構成はＯ−リングシールであることを特徴とする請求項１に記載の液体フィルタ・カートリッジ。
【請求項３】
（ａ）前記ＤsＡは、０．９ＤbＡ以上でかつ１．１ＤbＡ以下の範囲内であり、
（ｂ）前記ＤsＢは、０．９ＤbＢ以上でかつ１．１ＤbＢ以下の範囲内であることを特徴とする請求項１または請求項２に記載の液体フィルタ・カートリッジ。
【請求項４】
（ａ）前記ＤsＡは、０．９５ＤbＡ以上でかつ１．０５ＤbＡ以下の範囲内であり、
（ｂ）前記ＤsＢは、０．９５ＤbＢ以上でかつ１．０５ＤbＢ以下の範囲内であることを特徴とする請求項１または請求項２に記載の液体フィルタ・カートリッジ。
【請求項５】
（ａ）軸方向の荷重に対するコアレス構成を有することを特徴とする請求項１乃至請求項４のいずれか一項に記載の液体フィルタ・カートリッジ。
【請求項６】
（ａ）軸方向の荷重に対するアウター・ライナが無い構成を有することを特徴とする請求項１乃至請求項５のいずれか一項に記載の液体フィルタ・カートリッジ。
【請求項７】
（ａ）前記第１エンド・キャップ上の外側に向けられた前記第１シール構造は、０．９５ＤbＡ以上でかつ１．０５ＤbＡ以下の範囲内のシール直径（ＤsＡ）を提供するような位置に配置され、
（ｂ）前記第２エンド・キャップ上の前記第２シール構造は、０．９５ＤbＢ以上でかつ１．０５ＤbＢ以下の範囲内のシール直径（ＤsＢ）を提供するような位置に配置され、
（ｃ）前記第１エンド・キャップが、プリーツ先端の外側の径（ＤoＡ）からプリーツ先端の内側の径（ＤiＡ）を引いたものに対応する寸法Ｘを有し、
（ｉ）前記第１シール構造は、前記内側のプリーツ先端と前記外側のプリーツ先端との両方からそれぞれ前記第１エンド・キャップ上の半径方向に対して少なくとも０．１５Ｘの距離だけ離れている位置の直径に対応するシール直径を持つシールを支持する位置で、前記第１エンド・キャップから軸方向に外に突き出ているシール支持体を含んでおり、
（ｄ）前記第２エンド・キャップが、プリーツ先端の外側の径（ＤoＢ）からプリーツ先端の内側の径（ＤiＢ）を引いたものに対応する寸法Ｙを有し、
（ｉ）前記第２エンド・キャップ上の前記第２シール構造は、前記内側のプリーツ先端と前記外側のプリーツ先端との両方からそれぞれ前記第２エンド・キャップ上の半径方向に対して少なくとも０．１５Ｙの距離だけ離れている位置の直径に対応するシール直径を持つシールを支持する位置で、前記第２エンド・キャップから軸方向に外に突き出ているシール支持体を含んでおり、
（ｅ）前記カートリッジの第１エンド・キャップが、シール直径ＤｉＡ内で類似するエンドキャップのためのＡe値の５５％を超えない計算されたＡeを有し、
（ｆ）前記カートリッジの第２エンド・キャップが、シール直径ＤｉＢ内で類似するエンドキャップのためのＡe値の５５％を超えない計算されたＡeを有することを特徴とする請求項１に記載の液体フィルタ・カートリッジ。
【請求項８】
（ａ）入力液体の環状流れのために構成された入口チャネルと出口チャネルを含むフィルタヘッドと、
（ｂ）多孔性筒状部材を含む内部コアを含むフィルタハウジングであって、
（ｉ）ねじ山で前記フィルタヘッドから前記フィルタハウジングを分離することによって開放可能であり、
（ｉｉ）前記フィルタヘッドと前記フィルタハウジングとの間のシールを含む、前記フィルタハウジングと、
（ｃ）前記フィルタハウジング内に取り外し可能に配置されている請求項１に記載の液体フィルタ・カートリッジであって、
（ｉ）前記フィルタハウジング中の前記内部コアの周囲に延びている媒体梱包体と、
（ｉｉ）前記液体フィルタ・カートリッジを取り囲む前記フィルタハウジング中の環状領域とを有する、前記液体フィルタ・カートリッジと、
を有することを特徴とする液体フィルタ・アセンブリ。
【請求項９】
（ａ）前記第１および第２エンド・キャップの少なくとも１つは前記内部コアにシールされていないことを特徴とする請求項８に記載の液体フィルタ・アセンブリ。
【請求項１０】
（ａ）前記第１シール構成はＯ−リングシールであり、
（ｂ）前記第２シール構成はＯ−リングシールであることを特徴とする請求項８または請求項９に記載の液体フィルタ・アセンブリ。
【請求項１１】
（ａ）前記ＤsＡは、０．９ＤbＡ以上でかつ１．１ＤbＡ以下の範囲内であり、
（ｂ）前記ＤsＢは、０．９ＤbＢ以上でかつ１．１ＤbＢ以下の範囲内であることを特徴とする請求項８乃至請求項１０のうちのいずれか一項に記載の液体フィルタ・アセンブリ。
【請求項１２】
（ａ）前記ＤsＡは、０．９５ＤbＡ以上でかつ１．０５ＤbＡ以下の範囲内であり、
（ｂ）前記ＤsＢは、０．９５ＤbＢ以上でかつ１．０５ＤbＢ以下の範囲内であることを特徴とする請求項８乃至請求項１１のうちのいずれか一項に記載の液体フィルタ・アセンブリ。
【請求項１３】
（ａ）軸方向荷重に対するコアレス構成を有することを特徴とする請求項８乃至請求項１２のいずれか一項に記載の液体フィルタ・アセンブリ。
【請求項１４】
（ａ）軸方向荷重に対するアウター・ライナが無い構成を有することを特徴とする請求項８乃至請求項１３のいずれか一項に記載の液体フィルタ・アセンブリ。